(57)【特許請求の範囲】
【請求項１】
使用者の後頭部および首が載せられる載置面、および、前記載置面とは反対側に位置する背面を有する本体と、
使用者が体を横たえる体支持部と前記本体の背面との間に配置され、前記体支持部に対する前記載置面の高さを調節できるように構成された調節部とを備え、
前記本体は、前記本体の正面視における前記本体の中央に形成される第１部分、前記本体の正面視における前記第１部分の下方に形成される第２部分、および、前記本体の正面視における前記第１部分の上方に形成される第３部分を含み、
前記載置面は、前記第１部分の載置面、前記第２部分の載置面、および、前記第３部分の載置面を含み、
前記第１部分の載置面は、前記第２部分の載置面および前記第３部分の載置面よりも高くなるように構成され、前記第２部分の載置面は、前記第３部分の載置面よりも高くなるように構成され、
前記調節部は、前記体支持部と前記本体の背面との間に配置される状態と、前記体支持部と前記本体の背面との間に配置されない状態とを個々に選択できるように構成された複数のブロックを含み、
前記複数のブロックは、前記載置面に載せられる後頭部を前記本体の正面視における前記第１部分の背面および前記第３部分の背面を介して支持する第１ブロックと、前記載置面に載せられる首を前記本体の正面視における前記第２部分の背面を介して支持する第２ブロックとを含み、
前記複数のブロックの使用形態は、少なくとも使用形態Ａ、使用形態Ｂ、および、使用形態Ｃを含み、
前記使用形態Ａでは、前記体支持部と前記本体の背面との間に前記第１ブロックが配置され、前記体支持部と前記本体の背面との間に前記第２ブロックが配置されず、
前記使用形態Ｂでは、前記体支持部と前記本体の背面との間に前記第２ブロックが配置され、前記体支持部と前記本体の背面との間に前記第１ブロックが配置されず、
前記使用形態Ｃでは、前記体支持部と前記本体の背面との間に前記第１ブロックおよび前記第２ブロックが配置されず、
前記第１ブロックは、前記複数のブロックの使用形態が前記使用形態Ａであり、前記載置面に後頭部および首が載せられた状態において、前記使用形態Ｂと比較して後頭部が前記体支持部から離れる方向に持ち上がり、後頭部に対して顎が下がり、首筋が伸びる程度の段差が前記体支持部との間に形成されるように構成され、
前記第２ブロックは、前記複数のブロックの使用形態が前記使用形態Ｂであり、前記載置面に後頭部および首が載せられた状態において、前記使用形態Ａと比較して後頭部が前記体支持部に近づく方向に沈み、後頭部に対して首が持ち上がり、首の前側部分が伸びる程度の段差が前記体支持部との間に形成されるように構成され、
前記本体は、前記複数のブロックの使用形態が前記使用形態Ｃであり、前記載置面に後頭部および首が載せられた状態において、前記使用形態Ａと比較して後頭部に対して首が持ち上がり、首の前側部分が伸びるように前記第１部分の載置面、前記第２部分の載置面、および、前記第３部分の載置面が構成される
枕。
【請求項２】
前記複数のブロックは、前記本体の正面視における前記本体の背面の中央に対する左方を支持する左ブロック、および、前記本体の正面視における前記本体の背面の中央に対する右方を支持する右ブロックをさらに含む
請求項１に記載の枕。
【請求項３】
前記複数のブロックは、前記複数のブロックの全部が前記体支持部と前記本体の背面との間に配置される使用形態では、前記本体の背面の外形に対応する外形を有する板を構成する
請求項１または２に記載の枕。
【発明の詳細な説明】
【技術分野】
【０００１】
本発明は枕に関する。
【背景技術】
【０００２】
頭が載せられる載置面の高さを調節可能な枕が知られている。その一例である特許文献１の枕は、載置面を有する本体、および、本体の内部に挿入されるマットを備える。本体の内部にマットが挿入される場合、載置面の位置が高い位置に設定され、本体の内部からマットが抜き出される場合、載置面の位置が低い位置に設定される。このため、ユーザーは自身の好みに応じて載置面の高さを調節できる。
【先行技術文献】
【特許文献】
【０００３】
【特許文献１】実用新案登録第３１５５９１１号公報
【発明の概要】
【発明が解決しようとする課題】
【０００４】
剛性が高い材料によりマットが形成される場合、ユーザーが圧迫感を覚えるおそれがある。
本発明の目的は、心地良い使用感をユーザーに提供可能な枕を提供することである。
【課題を解決するための手段】
【０００５】
〔１〕本発明に従う枕の一形態は、頭が載せられる載置面を有する本体と、前記載置面の高さを調節可能な調節部とを備え、前記調節部は前記本体の背面に対して着脱可能な複数のブロックを含み、前記複数のブロックは前記本体の背面において互いに異なる部分に取り付けられる。
【０００６】
上記枕によれば、本体に複数のブロックのうちの少なくとも１つが取り付けられる場合、本体にブロックが取り付けられない場合よりも載置面の高さが高い位置に設定される。また、ユーザーは載置面の高さを調節するために複数のブロックを取り付けて枕を使用し、ブロックが本体に取り付けられていることにより圧迫感を覚えた場合、圧迫感を覚えた部分に取り付けられているブロックを取り外すことができる。このため、ユーザーが圧迫感を覚えない、または、圧迫感を覚えにくい状態で枕が使用され、心地良い使用感がユーザーに提供される。
【０００７】
〔２〕前記枕の一例によれば、前記複数のブロックが前記本体に取り付けられた場合、前記複数のブロックは１枚の板のような形状を形成する。
上記枕によれば、複数のブロックの全部が本体に取り付けられた場合、複数のブロックの全部が本体に取り付けられていない場合と比較して、載置面の高さが均一に高くなる。このため、上記枕は実質的に載置面の高さだけが異なる２種類の使用形態をユーザーに提供できる。
【０００８】
〔３〕前記枕の一例によれば、前記複数のブロックは前記本体の背面の中央に配置される中央ブロック、前記枕の正面視における上下方向において前記中央ブロックを挟むように配置される上ブロックおよび下ブロック、ならびに、前記枕の正面視における左右方向において前記中央ブロックを挟むように配置される右ブロックおよび左ブロックである。
【０００９】
上記枕によれば、例えば次のようにブロックが本体に取り付けられることにより、多様な効果をユーザーに提供できる。複数のブロックの全部が取り付けられた状態から中央ブロックだけが取り外された場合、後頭部が本体に沈み込む。このため、ユーザーが就寝しているときに頭が本体に対して動きにくい。複数のブロックの全部が取り付けられた状態から左ブロックおよび右ブロックの一方または両方だけが取り外された場合、後頭部の側部が圧迫感を覚えにくい。このため、寝返りが打ちやすい。複数のブロックの全部が取り付けられた状態から上ブロックだけが取り外された場合、顎が上がりやすい。このため、首の前面部分が伸び、その部分にしわが形成されにくい。複数のブロックの全部が取り付けられた状態から下ブロックだけが取り外された場合、顎が下がりやすい。このため、首筋が伸びやすい。
【発明の効果】
【００１０】
上記枕によれば、心地良い使用感がユーザーに提供される。
【図面の簡単な説明】
【００１１】
【図１】は実施の形態の枕の分解斜視図である。
【図２】は図１のＤ２−Ｄ２線に沿う断面図である。
【図３】は図１の枕の側面図である。
【図４】は図１の枕の背面図である。
【図５】は図１の枕の本体の背面図である。
【図６】は図１の枕の使用状態の一例を示す斜視図である。
【図７】は図６の枕における第１の使用形態を示す模式図である。
【図８】は図６の枕における第２の使用形態を示す模式図である。
【図９】は図６の枕における第３の使用形態を示す模式図である。
【図１０】は図６の枕における第４の使用形態を示す模式図である。
【図１１】は図６の枕における第５の使用形態を示す模式図である。
【図１２】は図６の枕における第６の使用形態を示す模式図である。
【図１３】は図６の枕における第７の使用形態を示す模式図である。
【図１４】は図６の枕における第８の使用形態を示す模式図である。
【図１５】は図６の枕における第９の使用形態を示す模式図である。
【図１６】は図６の枕における第１０の使用形態を示す模式図である。
【図１７】は図６の枕における第１１の使用形態を示す模式図である。
【図１８】は図６の枕における第１２の使用形態を示す模式図である。
【図１９】は図６の枕における第１３の使用形態を示す模式図である。
【発明を実施するための形態】
【００１２】
（実施の形態）
図１に示されるとおり、枕１は、頭が載せられる載置面１０Ａが正面側に膨らんだ２つの山部分を備える円形状の本体１０、および、載置面１０Ａの高さを調節可能な調節部３０を備える。本体１０は生地および生地により覆われたクッションにより構成される。生地の一例は備長炭をシート化した炭シートである。クッションは例えば低反発の素材により構成される。
【００１３】
本体１０は、２つの山部分の一方である第１の山部分１１、２つの山部分の他方である第２の山部分１２、および、第１の山部分１１と第２の山部分１２との間に形成される中間部分１３により一体的に構成される。第１の山部分１１は、枕１の正面視における左右方向において中間部分１３の右側に形成される。第２の山部分１２は、枕１の正面視における左右方向において中間部分１３の左側に形成される。第１の山部分１１および第２の山部分１２は、枕１の正面視における左右方向の中心線に対して線対称の関係を有する。
【００１４】
中間部分１３は、枕１の正面視における上下方向において上側に形成される上部分１３Ａ、枕１の正面視における上下方向において下側に形成される下部分１３Ｂ、および、上部分１３Ａと下部分１３Ｂとの間に形成される中央部分１３Ｃにより一体的に構成される。中央部分１３Ｃは本体１０の中央に位置する。中間部分１３は、上部分１３Ａから中央部分１３Ｃにかけて載置面１０Ａが緩やかに高くなり、中央部分１３Ｃから下部分１３Ｂにかけて載置面１０Ａが緩やかに低くなっている。
【００１５】
図２に示されるとおり、第１の山部分１１の頂上および第２の山部分１２の頂上における載置面１０Ａは、中央部分１３Ｃの載置面１０Ａよりも正面側に膨らんでいる。各山部分１１、１２および中央部分１３Ｃにおける載置面１０Ａの高低差の関係は、枕１を使用するユーザー１００（図６参照）の一般的な首の形状にフィットするように設定される。
【００１６】
図３に示されるとおり、中間部分１３における上部分１３Ａが下部分１３Ｂよりも厚みを有する。すなわち、上部分１３Ａにおける載置面１０Ａの高さが下部分１３Ｂにおける載置面１０Ａの高さよりも高い。上部分１３Ａおよび下部分１３Ｂにおける載置面１０Ａの高さの関係は、就寝時においてユーザー１００（図６参照）が心地良いと感じる一般的な姿勢に基づいて設定される。
【００１７】
図１に示されるとおり、調節部３０は、本体１０の背面に対して着脱可能な複数のブロックにより構成される。複数のブロックは例えば弾性を有するスポンジである。複数のブロックは、本体１０の背面において互いに異なる部分に取り付けられる右ブロック３１、左ブロック３２、上ブロック３３、下ブロック３４、および、中央ブロック３５を含む。各ブロック３１〜３５は互いに同じ厚さを有し、その厚さの一例は２ｃｍである。
【００１８】
中央ブロック３５は円形状であり、本体１０の背面の中央に配置される。すなわち、中央ブロック３５は中央部分１３Ｃの背面に取り付けられる。中央ブロック３５には、面ファスナーの一方であるフック３５Ａが２箇所に取り付けられている。２つのフック３５Ａは中央ブロック３５上において所定の間隔を空けて配置される。
【００１９】
右ブロック３１および左ブロック３２は、本体１０および中央ブロック３５の周囲に沿って湾曲した形状であり、枕１の正面視における左右方向において中央ブロック３５を挟むように配置される。なお、右ブロック３１および左ブロック３２は実質的に同じ形状を有する。
【００２０】
右ブロック３１は第１の山部分１１の背面に取り付けられる。右ブロック３１には、面ファスナーの一方であるフック３１Ａが２箇所に取り付けられている。２つのフック３１Ａは右ブロック３１上において所定の間隔を空けて配置される。左ブロック３２は第２の山部分１２の背面に取り付けられる。左ブロック３２には、面ファスナーの一方であるフック３２Ａが２箇所に取り付けられている。２つのフック３２Ａは左ブロック３２上において所定の間隔を空けて配置される。
【００２１】
上ブロック３３および下ブロック３４は、本体１０および中央ブロック３５の周囲に沿って湾曲した形状であり、枕１の正面視における上下方向において中央ブロック３５を挟むように配置される。なお、上ブロック３３および下ブロック３４は実質的に同じ形状を有する。
【００２２】
上ブロック３３は上部分１３Ａの背面に取り付けられる。上ブロック３３には、面ファスナーの一方であるフック３３Ａが２箇所に取り付けられている。２つのフック３３Ａは上ブロック３３上において所定の間隔を空けて配置される。下ブロック３４は下部分１３Ｂの背面に取り付けられる。下ブロック３４には、面ファスナーの一方であるフック３４Ａが２箇所に取り付けられている。２つのフック３４Ａは下ブロック３４上において所定の間隔を空けて配置される。
【００２３】
上ブロック３３および下ブロック３４の長手方向における一方の端部の形状は、右ブロック３１および左ブロック３２の長手方向における一方の端部の形状に沿うような形状である。また、上ブロック３３および下ブロック３４の長手方向における他方の端部の形状は、右ブロック３１および左ブロック３２の長手方向における他方の端部の形状に沿うような形状である。
【００２４】
各ブロック３１〜３５が本体１０の背面に対して着脱されることにより、本体１０の載置面１０Ａの高さが調節される。各ブロック３１〜３５の全部が本体１０に取り付けられた場合、各ブロック３１〜３５は１枚の板のような形状を形成する。この場合、各ブロック３１〜３５間には実質的に隙間が形成されない。
【００２５】
図４に示されるとおり、枕１は、開閉可能なファスナー２１を有し、各ブロック３１〜３５を覆うカバー２０をさらに備える。カバー２０は本体１０の背面に形成される。ファスナー２１が開放されることにより、各ブロック３１〜３５が本体１０の背面に対して着脱可能になる。ファスナー２１が閉鎖されることにより、本体１０の背面に取り付けられた各ブロック３１〜３５がカバー２０により覆われる。
【００２６】
図５は、カバー２０が省略され、各ブロック３１〜３５の全部が取り付けられていない状態における本体１０の背面を示す。
本体１０の背面には、クッションを出し入れするために開閉されるファスナー１４が形成され、面ファスナーの他方であるループ１５が複数個所に取り付けられている。複数のループ１５は各ブロック３１〜３５（図１参照）に取り付けられる各フック３１Ａ〜３５Ａ（図１参照）と対応している。このため、各フック３１Ａ〜３５Ａが対応するループ１５と結合されることにより、各ブロック３１〜３５が本体１０の背面に取り付けられる。なお、本体１０の背面上における複数のループ１５の配置は、各ブロック３１〜３５上における各フック３１Ａ〜３５Ａの配置により決められる。
【００２７】
図６〜図１９を参照して、枕１の作用について説明する。
枕１によれば、ユーザー１００により例えば次のように使用される。まず、各ブロック３１〜３５が本体１０の背面に対して着脱されることにより、例えば図７〜図１９に示されるいずれかの枕１の使用形態が形成される。図７〜図１９に示される枕１の各使用形態は、ユーザー１００に提供する使用感が互いに異なる。次に、図６に示されるとおり、本体１０の載置面１０Ａに例えば後頭部が載せられる。このとき、第１の山部分１１と第２の山部分１２との間に首がフィットするように後頭部が載置面１０Ａに載せられる。こうして、枕１がユーザー１００により使用される。
【００２８】
枕１によれば、例えば次の使用形態のように各ブロック３１〜３５が本体１０の背面に対して着脱されることにより、多様な効果をユーザー１００に提供できる。
図７に示される第１の使用形態では、各ブロック３１〜３５の全部が本体１０の背面に取り付けられる。ユーザー１００（図６参照）が第１の使用形態により枕１を使用する場合、各ブロック３１〜３５の全部が本体１０に取り付けられていない場合と比較して、載置面１０Ａ（図６参照）の高さが均一に高くなる。
【００２９】
また、第１の使用形態によれば、載置面１０Ａの高さが均一に変化するため、本体１０の形状等により得られる以下の効果が得られる。枕１によれば、各山部分１１、１２（図１参照）および中央部分１３Ｃ（図１参照）により首が持ち上げられる。このため、首の前側部分が伸び、その部分にしわが形成されにくい。
【００３０】
図８に示される第２の使用形態では、各ブロック３１〜３５の全部が本体１０の背面に取り付けられた状態から中央ブロック３５だけが取り外される。ユーザー１００（図６参照）が第２の使用形態により枕１を使用する場合、後頭部が本体１０に沈み込む。このため、ユーザー１００が就寝しているときに頭が本体１０に対して動きにくい。
【００３１】
図９に示される第３の使用形態では、各ブロック３１〜３５のうちの上ブロック３３および下ブロック３４が本体１０の背面に取り付けられる。ユーザー１００（図６参照）が第３の使用形態により枕１を使用する場合、後頭部が本体１０に沈み込み、後頭部の側部が圧迫感を覚えにくい。このため、後頭部が安定しやすく、かつ、寝返りが打ちやすい。
【００３２】
図１０に示される第４の使用形態では、各ブロック３１〜３５のうちの右ブロック３１および左ブロック３２が本体１０の背面に取り付けられる。ユーザー１００（図６参照）が第４の使用形態により枕１を使用する場合、後頭部が本体１０に沈み込み、各山部分１１、１２（図６参照）により後頭部の側部が包み込まれる。このため、枕１に対する頭のフィット感が得られやすい。なお、第４の使用形態によれば、後頭部の側部が載置面１０Ａ（図６参照）に載せられる場合にも適している。
【００３３】
図１１に示される第５の使用形態では、各ブロック３１〜３５の全部が本体１０の背面に取り付けられた状態から右ブロック３１および左ブロック３２が取り外される。ユーザー１００（図６参照）が第５の使用形態により枕１を使用する場合、後頭部の側部が圧迫感を覚えにくい。このため、寝返りが打ちやすい。
【００３４】
図１２に示される第６の使用形態では、各ブロック３１〜３５のうちの中央ブロック３５だけが取り付けられる。ユーザー１００（図６参照）が第６の使用形態により枕１を使用する場合、本体１０から圧迫感が与えられにくい。このため、就寝時において載置面１０Ａ（図６参照）に載せられる頭の部位を変更しやすい。
【００３５】
図１３に示される第７の使用形態では、各ブロック３１〜３５の全部が本体１０の背面に取り付けられた状態から上ブロック３３だけが取り外される。ユーザー１００（図６参照）が第７の使用形態により枕１を使用する場合、顎が上がりやすい。このため、首の前側部分が伸び、その部分にしわが形成されにくい。
【００３６】
図１４に示される第８の使用形態では、各ブロック３１〜３５の全部が本体１０の背面に取り付けられた状態から上ブロック３３および中央ブロック３５が取り外される。ユーザー１００（図６参照）が第８の使用形態により枕１を使用する場合、後頭部が本体１０に沈み込むことにより、図１３に示される第７の使用形態よりも顎が上がりやすい。このため、首の前側部分が伸び、その部分にしわが一層形成されにくい。
【００３７】
図１５に示される第９の使用形態では、各ブロック３１〜３５のうちの下ブロック３４および中央ブロック３５が本体１０の背面に取り付けられる。ユーザー１００（図６参照）が第９の使用形態により枕１を使用する場合、顎が上がりやすく、後頭部の側部が圧迫感を覚えにくい。このため、首の前側部分が伸び、その部分にしわが形成されにくく、かつ、寝返りが打ちやすい。
【００３８】
図１６に示される第１０の使用形態では、各ブロック３１〜３５のうちの下ブロック３４だけが取り付けられる。ユーザー１００（図６参照）が第１０の使用形態により枕１を使用する場合、顎が上がりやすく、本体１０から圧迫感が与えられにくい。このため、首の前側部分が伸び、その部分にしわが形成されにくく、かつ、就寝時において載置面１０Ａ（図６参照）に載せられる頭の部位を変更しやすい。
【００３９】
図１７に示される第１１の使用形態では、各ブロック３１〜３５の全部が本体１０の背面に取り付けられた状態から下ブロック３４だけが取り外される。ユーザー１００（図６参照）が第１１の使用形態により枕１を使用する場合、顎が下がりやすい。このため、首筋が伸びやすい。
【００４０】
図１８に示される第１２の使用形態では、各ブロック３１〜３５の全部が本体１０の背面に取り付けられた状態から下ブロック３４および中央ブロック３５が取り外される。ユーザー１００（図６参照）が第１２の使用形態により枕１を使用する場合、後頭部が本体１０に沈み込むことにより、図１７に示される第１１の使用形態よりも顎が下がりやすい。このため、首筋が一層伸びやすい。
【００４１】
図１９に示される第１３の使用形態では、各ブロック３１〜３５の全部が本体１０の背面から取り外される。ユーザー１００（図６参照）が第１３の使用形態により枕１を使用する場合、図７に示される第１の使用形態と比較して、載置面１０Ａ（図６参照）の高さが均一に低くなる。このため、実質的に載置面１０Ａの高さだけが異なる２種類の使用形態をユーザー１００に提供できる。
【００４２】
以上のように、図７〜図１９に示されるいずれかの枕１の使用形態が形成され、その後に図６に示されるとおり枕１がユーザー１００により使用される。
また、枕１が使用されることにより、例えば各ブロック３１〜３５のうちの少なくとも１つのブロックが本体１０に取り付けられていることによりユーザー１００が圧迫感を覚えた場合、圧迫感を覚えた部分に取り付けられているブロックが取り外される。すなわち、ユーザー１００により枕１の使用形態が適宜変更される。このため、１回または複数回にわたって枕１の使用形態が変更されることにより、ユーザー１００に応じた枕１の使用形態が決定される。
【００４３】
実施の形態の枕１によれば、さらに以下の効果が得られる。
（１）枕１によれば、ユーザー１００が覚える圧迫感により枕１の使用形態が変更される。このため、ユーザー１００が圧迫感を覚えない、または、圧迫感を覚えにくい状態で枕１が使用され、心地良い使用感がユーザー１００に提供される。
【００４４】
（２）枕１によれば、クッションを出し入れするために開閉されるファスナー１４が本体１０の背面に形成されているため、本体１０を構成する生地とクッションとを分離することができる。このため、生地とクッションとを個別に交換および洗濯できる。
【００４５】
（３）枕１は、開閉可能なファスナー２１を有し、各ブロック３１〜３５を覆うカバー２０を備える。このため、ファスナー２１が閉鎖されることにより本体１０の背面に取り付けられた各ブロック３１〜３５が外観に露出しない。このため、枕１の意匠性が向上する。
【００４６】
（変形例）
実施の形態に関する説明は本発明に従う枕が取り得る形態の例示であり、その形態を制限することを意図していない。本発明に従う枕は実施の形態以外に例えば以下に示される実施の形態の変形例、および、相互に矛盾しない少なくとも２つの変形例が組み合わせられた形態を取り得る。
【００４７】
・各ブロック３１〜３５が本体１０の背面に対して着脱されることにより形成される枕１の使用形態は第１〜第１３の使用形態に限られない。枕１の使用形態は各ブロック３１〜３５の組合せにより任意に形成される。
【００４８】
・各ブロック３１〜３５の形状は任意の選択事項である。一例によれば、各ブロック３１〜３５の形状は正方形状または長方形状である。
・各ブロック３１〜３５の厚さは任意の選択事項である。一例によれば、各ブロック３１〜３５の厚さは２ｃｍ未満または２ｃｍよりも厚い。
【００４９】
・各ブロック３１〜３５を構成する材料は任意の選択事項である。一例によれば、各ブロック３１〜３５は樹脂である。
・各ブロック３１〜３５に取り付けられるフック３１Ａ〜３５Ａの数は任意の選択事項である。変形例の各ブロック３１〜３５には、１つまたは３つ以上のフック３１Ａ〜３５Ａが取り付けられる。この変形例によれば、本体１０の背面に取り付けられるループ１５の数もフック３１Ａ〜３５Ａの数と同様に変更される。
【００５０】
・各ブロック３１〜３５に取り付けられるフック３１Ａ〜３５Ａと本体１０の背面に取り付けられるループ１５との関係は任意の選択事項である。一例によれば、各ブロック３１〜３５にループが取り付けられ、本体１０の背面にフックが取り付けられる。
【００５１】
・各ブロック３１〜３５を本体１０の背面に取り付ける構造は面ファスナーに限られない。一例によれば、スナップボタンの一方が各ブロック３１〜３５に取り付けられる。この場合、スナップボタンの他方が本体１０の背面に取り付けられる。
【００５２】
・各ブロック３１〜３５の全部が本体１０に取り付けられた状態において、各ブロック３１〜３５間に隙間が形成されるか否かは任意の選択事項である。一例によれば、各ブロック３１〜３５の全部が本体１０に取り付けられた状態において、各ブロック３１〜３５間に隙間が形成される。
【００５３】
・調節部３０を構成する複数のブロックの数は任意の選択事項である。変形例の調節部３０は２つ、３つ、４つ、または、６つ以上のブロックにより構成される。この変形例によれば、ブロックの形状を変更してもよく、２つ以上のブロックを重ねて本体１０の背面に取り付けてもよい。
【００５４】
・本体１０がファスナー１４を備えるか否かは任意の選択事項である。変形例の本体１０によれば、ファスナー１４が省略された構成を取り得る。
・本体１０の形状は任意の選択事項である。変形例の本体によれば、円形状に代えて長方形状である。この変形例によれば、各ブロック３１〜３５の形状を本体の形状に沿うように変更してもよい。
【００５５】
・本体１０を構成する生地の素材は任意の選択事項である。一例によれば、不織布により本体１０の生地が形成される。
・変形例の本体１０によれば、生地に覆われたクッションに代えて、生地に覆われた羽毛、または、生地に覆われたビーズにより構成される。
【００５６】
・枕１がカバー２０を備えるか否かは任意の選択事項である。変形例の枕１によれば、カバー２０が省略された構成を取り得る。
・変形例の枕１によれば、本体１０に代えて別の本体を備える。別の本体は、その背面に各ブロック３１〜３５の取り付けが可能な構造であればよく、その形状の一例は円柱または直方体である。この変形例によれば、各ブロック３１〜３５の形状を別の本体の形状に沿うように変更してもよい。
【符号の説明】
【００５７】
１    ：枕
１０  ：本体
１０Ａ：載置面
３０  ：調節部
３１  ：右ブロック
３２  ：左ブロック
３３  ：上ブロック
３４  ：下ブロック
３５  ：中央ブロック
【図１】
0006636251.tif 000002
【図２】
0006636251.tif 000003
【図３】
0006636251.tif 000004
【図４】
0006636251.tif 000005
【図５】
0006636251.tif 000006
【図６】
0006636251.tif 000007
【図７】
0006636251.tif 000008
【図８】
0006636251.tif 000009
【図９】
0006636251.tif 000010
【図１０】
0006636251.tif 000011
【図１１】
0006636251.tif 000012
【図１２】
0006636251.tif 000013
【図１３】
0006636251.tif 000014
【図１４】
0006636251.tif 000015
【図１５】
0006636251.tif 000016
【図１６】
0006636251.tif 000017
【図１７】
0006636251.tif 000018
【図１８】
0006636251.tif 000019
【図１９】
0006636251.tif 000020